(57)【要約】      （修正有）【課題】びんに対する着脱作業が容易で、しかもタイトに取り付けることのできるびんの吊手バンドを開発する。【解決手段】Ａ端４とＢ端５を接続しリング状にしてびん外周に捲止するバンド本体２と、Ｕ字状で両端部がバンド本体２の対向位置に係止された吊手３を有する吊手バンド１において、Ａ端４は波形面Ａを有し、Ｂ端５は波形面Ａと対応する波形面Ｂを有すると共に、外周にカム面を形成したカムレバー９が、カム面と波形面Ｂが対向するように回動自在に軸着され、Ａ端４をＢ端５の波形面Ｂとカム面の間に挿入し、カムレバー９を回動させることで波形面Ｂとカム面の間隔が狭まり、波形面Ａ，Ｂが密着してＡ，Ｂ端４，５が強固に接続される。【選択図】図１
2011084302.tif 000002
【特許請求の範囲】
【請求項１】
Ａ端とＢ端を接続しリング状にしてびん外周に捲止するバンド本体と、
Ｕ字状をなし、両端部が前記バンド本体の対向位置に係止された吊手を有する吊手バンドにおいて、
前記Ａ端は波形面Ａを有し、
前記Ｂ端は前記波形面Ａと対応する波形面Ｂを有すると共に、外周にカム面を形成したカムレバーが、該カム面と前記波形面Ｂが対向するように回動自在に軸着され、
前記Ａ端を前記Ｂ端の波形面Ｂとカム面の間に挿入し、前記カムレバーを回動させることで波形面Ｂとカム面の間隔が狭まり、前記波形面Ａ，Ｂが密着してＡ，Ｂ端が強固に接続されることを特徴とするびんの吊手バンド。
【請求項２】
前記波形面Ａを前記Ａ端の内周面に形成し、前記波形面Ｂを前記Ｂ端の外周面に形成し、前記カムレバーを前記Ｂ端から水平方向外側に張り出した受板部に軸着した請求項１に記載の吊手バンド。
【請求項３】
前記波形面Ａの背面と、前記カム面が粗面となっており、前記カムレバーを回動させたときに、前記波形面Ａの背面とカム面の摩擦により、前記Ａ端がバンド本体の径が小さくなる方向に力を受ける請求項１又は２に記載の吊手バンド。
【請求項４】
前記カムレバーが鈎状部を有し、前記Ａ端が鈎受部を有し、前記カムレバーを回動してＡ，Ｂ端を接続したときに、前記鈎状部が前記鈎受部に係止される請求項１〜３のいずれかに記載の吊手バンド。
【請求項５】
請求項１〜４のいずれかの吊手バンドを口部外周に捲止したびん。
【発明の詳細な説明】
【技術分野】
【０００１】
本発明は、梅酒びんなどのびんに取り付けて吊手を形成する吊手バンド、及びこの吊手バンドを装着したびんに関する。
【背景技術】
【０００２】
梅酒びんなどのびんに取り付ける吊手バンドは、びんに簡単に取り付けることができ、またびん洗浄などのときに容易に取り外しのできるものが望まれている。
このような吊手バンドは、例えば下記特許文献１〜３に開示されている。
【０００３】
特許文献１で提案されているものは、バンド本体の中間にジグザグ形折返しを有する外方迂回部を形成し、外方迂回部が変形することでバンド本体の径が拡大するのでびんに対する着脱が可能となり、外方迂回部に適合する凹部を有する止具を外側から嵌着することで外方迂回部の変形及び径の拡大が拘束され、びん外周に固定されるものである。
【０００４】
特許文献２で提案されているものは、バンド本体の両端部を接続してリング状にするもので、一端に凹凸面を形成し、他端に内部に凸凹面を有する断面がコ字状のコ字状部を形成し、一端を他端のコ字状部内に挿入して凹凸面と凸凹面を係合させ、外側から補強カバーを取り付けて両端を接続するものである。
【０００５】
特許文献３で提案されているものは、バンド本体の両端部を接続してリング状にするもので、一端に鋸歯状の突条を備えた挿入片を形成し、他端に挿入片が挿入される挿入孔と、挿入片の突条と係合して挿入片の脱落を阻止する弾性ストッパを形成し、これにより両端を接続するものである。
【先行技術文献】
【特許文献】
【０００６】
【特許文献１】実公平５−２３４７１号公報
【特許文献２】実開昭６４−２７３５号公報
【特許文献３】特開２００９−３５３２９号公報
【発明の概要】
【発明が解決しようとする課題】
【０００７】
前記特許文献１の吊手バンドは、端部のないリング状であるので、びんに対する着脱にやや難があった。すなわち、びん口部に対して着脱する場合、バンド本体がびんのビード（口部の環状突条）を乗り越えさせなければならないが、リング状であるためにこの作業がやや煩雑となる。
【０００８】
前記特許文献１，２の吊手バンドは、止具又は補強カバーが別部品となっているので、びんを洗浄する際にびんから取り外し、止具又は補強カバーが紛失すると再使用不能になってしまうという問題がある。
【０００９】
前記特許文献２，３の吊手バンドは、バンド本体がびん外周にタイトになるように、両端を相互に強い力で押し付け、バンド径が最小となるようにしてびんに取り付けるので、取り付け作業に強い力を必要とし、ややもするとびんに対して緩く取り付けられることがあった。
【００１０】
前記特許文献３の吊手バンドは、びんから取り外す際に、弾性ストッパをその弾性に逆らって外側に引き起こさなければならないので、取り外し作業が煩雑であった。
【００１１】
本発明は、びんに対する着脱作業が容易で、しかもタイトに取り付けることのできるびんの吊手バンドを開発することを課題とするものである。
【課題を解決するための手段】
【００１２】
〔請求項１〕
本発明は、Ａ端とＢ端を接続しリング状にしてびん外周に捲止するバンド本体と、Ｕ字状をなし、両端部が前記バンド本体の対向位置に係止された吊手を有する吊手バンドにおいて、前記Ａ端は波形面Ａを有し、前記Ｂ端は前記波形面Ａと対応する波形面Ｂを有すると共に、外周にカム面を形成したカムレバーが、該カム面と前記波形面Ｂが対向するように回動自在に軸着され、前記Ａ端を前記Ｂ端の波形面Ｂとカム面の間に挿入し、前記カムレバーを回動させることで波形面Ｂとカム面の間隔が狭まり、前記波形面Ａ，Ｂが密着してＡ，Ｂ端が強固に接続されることを特徴とするびんの吊手バンドである。
【００１３】
波形面の波形はどのようなものでもよいが、鋸歯状とするのが最も好ましい。
カムレバーのカム面は、軸心からカム面までの径が角度位置によって変化しているもので、カムレバーを回動させることでカム面と波形面Ｂの間隔寸法が変化するものである。
【００１４】
本発明の吊手バンドは、カムレバーを回動させるだけで吊手バンドをびんに対して着脱できるので、着脱作業がきわめて簡単である。
びんに取り付ける際に、カムレバーを回動させたとき、波形面Ａの背面とカム面の摩擦により、Ａ端がバンド本体の径が小さくなる方向に力を受けるようにできるので、吊手バンドをびん外周にタイトに取り付けることができる。
吊手バンドをびんから取り外したときに別部品が生じないので、別部品を紛失して再使用不能になるおそれがない。
【００１５】
〔請求項２〕
また本発明は、前記波形面Ａを前記Ａ端の内周面に形成し、前記波形面Ｂを前記Ｂ端の外周面に形成し、前記カムレバーを前記Ｂ端から水平方向外側に張り出した受板部に軸着した請求項１に記載の吊手バンドである。
【００１６】
波形面Ａ，Ｂの形成位置、カムレバーの軸着位置は、具体的には上記の構成とすることができ、このようにするのが最も合理的である。
なお、波形面ＡをＡ端に上向き又は下向きに設け、これに対応して波形面ＢをＢ端に下向き又は上向きに設けることも可能である。そのときは、カムレバーを回動軸が水平方向となるようにＢ端に軸着する。
【００１７】
〔請求項３〕
また本発明は、前記波形面Ａの背面と、前記カム面が粗面となっており、前記カムレバーを回動させたときに、前記波形面Ａの背面とカム面の摩擦により、前記Ａ端がバンド本体の径が小さくなる方向に力を受ける請求項１又は２に記載の吊手バンドである。
【００１８】
波形面Ａの背面とカム面を粗面にすると、カムレバーを回動させたときに、波形面Ａの背面とカム面の摩擦により、Ａ端がバンド本体の径が小さくなる方向に強い力を受け、バンド径が締まってバンド本体がびん外周にタイトに取り付けられる。
粗面の凹凸形状は、多数の小突起を形成したもの、多数の浅い縦溝又は縦の小突条を形成したものなど、どのようなものでもよい。
【００１９】
〔請求項４〕
また本発明は、前記カムレバーが鈎状部を有し、前記Ａ端が鈎受部を有し、前記カムレバーを回動してＡ，Ｂ端を接続したときに、前記鈎状部が前記鈎受部に係止される請求項１〜３のいずれかに記載の吊手バンドである。
【００２０】
バンド本体のＡ，Ｂ端を接続したときに、カムレバーの鈎状部がＢ端の鈎受部に係止されるようにすると、不用意にカムレバーが回動して吊手バンドがびんから脱落するのを防止することができる。
【００２１】
〔請求項５〕
また本発明は、請求項１〜４のいずれかの吊手バンドを口部外周に捲止したびんである。
【発明の効果】
【００２２】
本発明の吊手バンドは、カムレバーを回動させるだけで吊手バンドをびんに対して着脱できるので、着脱作業がきわめて簡単である。
びんに取り付ける際に、カムレバーを回動させたとき、波形面Ａの背面とカム面の摩擦により、Ａ端がバンド本体の径が小さくなる方向に力を受けるようにできるので、吊手バンドをびん外周にタイトに取り付けることができる。
吊手バンドをびんから取り外したときに別部品が生じないので、別部品を紛失して再使用不能になるおそれがない。
【図面の簡単な説明】
【００２３】
【図１】実施例の吊手バンド１の下面図である。
【図２】吊手バンド１の正面図である。
【図３】図２におけるＸ−Ｘ線断面図である。
【図４】Ａ端の下面図である。
【図５】Ａ端の正面図である。
【図６】Ｂ端の下面図である。
【図７】Ｂ端の正面図である。
【図８】カム面１０の説明図である。
【図９】Ａ，Ｂ端接続の説明図である。
【図１０】Ａ，Ｂ端接続の説明図である。
【図１１】吊手バンド１を取り付けたガラスびん２０の正面図である。
【発明を実施するための形態】
【実施例】
【００２４】
以下、実施例を表した図面に基づいて本発明を詳細に説明する。
図１は実施例の吊手バンド１の下面図、図２は吊手バンド１の正面図、図３は図２におけるＸ−Ｘ線断面図、図４はＡ端の下面図、図５はＡ端の正面図、図６はＢ端の下面図、図７はＢ端の正面図、図８はカム面１０の説明図、図９，１０はＡ，Ｂ端接続の説明図、図１１は吊手バンド１を取り付けたガラスびん２０の正面図である。
【００２５】
実施例の吊手バンド１はプラスチック製で、バンド本体２と吊手３からなる。
バンド本体２はＡ端４とＢ端５で分断されており、Ａ，Ｂ端を接続することでリング状に形成される。Ａ，Ｂ端から約９０°の位置に、２個所の吊手取付部１５が対向して設けられている。吊手取付部１５には軸受孔が設けられ、Ｕ字状の吊手３の端部の軸部１６をこの軸受孔に軸着し、吊手３がバンド本体２に回動自在に係止されている。
【００２６】
Ａ端は、先端部の内周面に鋸歯状の波形面Ａ（６）を有し、そのやや根元よりの外周面に鈎受部７が形成されている。波形面Ａの背面６ａは粗面（多数の小突起が形成されている面）となっている。（図４，５）
【００２７】
Ｂ端は、先端部の外周面に鋸歯状の波形面Ｂ（８）を有し、その下部から水平方向外側に受板部７が張り出し形成されている。受板部７には軸受孔が形成され、これにカムレバー９の回動軸１１が軸着されている。
【００２８】
カムレバー９は、レバーの上面の概略円柱状部分の外周がカム面１０となっており、その上に円柱状の回動軸１１、さらにその上に截頭円錐形状の抜止部１２が形成されている。カム面１０は、粗面（多数の小突起が形成されている面）となっている。カムレバー９は、抜止部１２及び回動軸１１を受板部７の軸受孔に押し込むことで、回動自在に受板部７に軸着されている。
カム面１０と波形面Ｂ（８）は対向する位置関係にあり、その間には隙間が形成されている。（図６，７）
カムレバー９の先端部には鈎状部１３が形成さている。
【００２９】
カム面１０は、回動軸１１の軸心１１ａからの径が、角度位置によって異なっている。
図８において、Ｂ点〜Ａ点〜Ｄ点の径はＲ1で最も大きな径、Ｃ点の径はＲ2で最も小さな径であり、Ｂ点からＣ点及びＤ点からＣ点はＲ1からＲ2まで徐々に径が小さくなっている。
Ａ点は、Ａ，Ｂ端を接続したとき（図１０）に、波形面Ａ背面６ａと接する点である。
【００３０】
次に、図９，１０に基づいて、Ａ，Ｂ端の接続について説明する。
先ず、カムレバーの角度を、図９に示されるような角度にする。このとき、カム面１０のＣ点付近（図８）が波形面Ｂ（８）に対向しており、波形面Ｂ（８）とカム面１０の隙間はＡ端の先端部の厚みよりもやや広くなっている。この状態で、図９の矢印Ｅで示すようにＡ端先端部を波形面Ｂ（８）とカム面１０の隙間に挿入する。その後、カムレバー９を図９の矢印Ｆの方向に回動させると、波形面Ｂ（８）とカム面１０の隙間が徐々に狭まり、次いでカム面１０と波形面Ａ背面６ａが接触し、さらにカム面１０が波形面Ａ背面６ａを波形面Ｂ（８）方向に押圧し、波形面Ａ（６）が波形面Ｂ（８）に圧接される。この状態でさらにカムレバー９を矢印Ｆ方向に回動すると、波形面Ａ背面６ａとカム面１０の摩擦により、Ａ端が矢印Ｅ方向（すなわち、バンド本体の径が小さくなる方向）に強い力を受け、バンド本体をびん外周に対して緩みなく捲止することができる。
【００３１】
カムレバー９を最後まで回動し、鈎状部１３を鈎受部７に係止すると、図１０の状態となり、Ａ，Ｂ端が完全に接続される。このとき、カム面１０のＡ点（図８）が波形面Ａ背面６ａに接触している。
【００３２】
吊手バンド１をびんから取り外すときは、図１０の状態から、鈎状部１３を鈎受部７から外し、カムレバー９を図９矢印Ｆと反対方向に回動すると、カム面１０と波形面Ｂ（８）の隙間が拡がり、Ａ端を容易にＢ端のカム面１０と波形面Ｂ（８）の間から抜き去ることができる。
【００３３】
吊手バンド１は，図１１に示されるように、果実酒用のガラスびん２０に捲止することができる。
ガラスびん２０は口部にビード２１が形成され、蓋２２が装着されている。吊手バンド１は、バンド本体をびん２０口部のビード２１の下部の外周に捲止することで、びん２０に装着される。
【符号の説明】
【００３４】
１  吊手バンド
２  バンド本体
３  吊手
４  Ａ端
５  Ｂ端
６  波形面Ａ
６ａ  波形面Ａ背面
７  鈎受部
８  波形面Ｂ
９  カムレバー
１０  カム面
１１  回動軸
１１ａ  軸心
１２  抜止部
１３  鈎状部
１４  受板部
１５  吊手取付部
１６  軸部
２０  ガラスびん
２１  ビード
２２  蓋
【図１】
2011084302.tif 000003
【図２】
2011084302.tif 000004
【図３】
2011084302.tif 000005
【図４】
2011084302.tif 000006
【図５】
2011084302.tif 000007
【図６】
2011084302.tif 000008
【図７】
2011084302.tif 000009
【図８】
2011084302.tif 000010
【図９】
2011084302.tif 000011
【図１０】
2011084302.tif 000012
【図１１】
2011084302.tif 000013